(57)【要約】【課題】見栄えを向上させることができる投写型映像表示装置を提供する。【解決手段】投写型映像表示装置である液晶プロジェクタ１は、映像Ｖを投写して表示するための部品を収容する筐体２を備え、盗難防止用のワイヤにより係留される。液晶プロジェクタ１は、盗難防止用のワイヤが挿通されるワイヤ挿通部材３を備え、ワイヤ挿通部材３が、筐体２の内部に向けて摺動可能である。【選択図】図１
2010134174.tif 000002
【特許請求の範囲】
【請求項１】
映像を投写して表示するための部品を収容する筐体を備え、盗難防止用のワイヤにより係留される投写型映像表示装置において、
前記ワイヤが挿通されるワイヤ挿通部材を備え、前記ワイヤ挿通部材が、前記筐体の内部に向けて摺動可能であることを特徴とする投写型映像表示装置。
【請求項２】
前記映像を投写して表示するために前記筐体の前方から前記筐体の外部へ向けて光を出射する投写レンズを備え、
前記ワイヤ挿通部材が、前記筐体の後方に設けられていることを特徴とする請求項１に記載の投写型映像表示装置。
【請求項３】
前記ワイヤ挿通部材が前記筐体の内部に向けて摺動されることによって、前記ワイヤ挿通部材が前記筐体に収容されるとともに、前記ワイヤ挿通部材が前記筐体に収容された状態において、前記ワイヤ挿通部材の表面と前記筐体の表面とが同じ平面に位置することを特徴とする請求項１または請求項２に記載の投写型映像表示装置。
【請求項４】
前記ワイヤ挿通部材は、前記筐体の外部に向けて摺動可能であって、
前記ワイヤ挿通部材には、このワイヤ挿通部材が摺動する方向に対して垂直な方向に向けて突出する突出部が形成されていることを特徴とする請求項１乃至請求項３のいずれか一項に記載の投写型映像表示装置。
【請求項５】
前記ワイヤ挿通部材には、前記ワイヤを水平方向に挿通可能な挿通孔が形成されていることを特徴とする請求項１乃至請求項４のいずれか一項に記載の投写型映像表示装置。
【請求項６】
前記ワイヤ挿通部材は中実の樹脂により形成されていることを特徴とする請求項１乃至請求項５のいずれか一項に記載の投写型映像表示装置。
【請求項７】
前記ワイヤ挿通部材は、前記筐体の外部に向けて摺動可能であって、
前記ワイヤ挿通部材を保持するための保持部材を備え、前記ワイヤ挿通部材には、前記保持部材と係合して、前記筐体の外部への前記ワイヤ挿通部材の移動を規制するためのフランジ部が形成されていることを特徴とする請求項１乃至請求項６のいずれか一項に記載の投写型映像表示装置。
【請求項８】
前記筐体の内部または外部へ向けて気体を送風するファンを備え、
前記保持部材は、前記ファンが固定されるファン固定部材と一体であることを特徴とする請求項７に記載の投写型映像表示装置。
【発明の詳細な説明】
【技術分野】
【０００１】
本発明は、盗難防止用のワイヤにより係留される投写型映像表示装置に関する。
【背景技術】
【０００２】
持ち運びが可能な投写型映像表示装置であるプロジェクタは、盗難対策として盗難防止用のワイヤにより係留されることが知られている。例えば、プロジェクタを机等の不動体に連結させて盗難を防止するためロック機構として、ケンジントンロックと呼ばれるものが知られている（例えば、特許文献１参照）。このロック機構は、ワイヤに接続されたロック軸をプロジェクタに設けられた挿入孔に挿入した状態で施錠を行うことにより、プロジェクタの挿入孔からロック軸が抜けなくなるように構成されている。
【０００３】
また、上記のようなロック機構を用いずに投写型映像表示装置を机等の不動体に連結させるために、セキュリティバーを備えるプロジェクタが知られている（例えば、非特許文献１参照）。具体的には、盗難防止用のワイヤをプロジェクタの一部に挿通させることが知られており、このようにプロジェクタの一部にワイヤが挿通されることによって、盗難防止により大きな効果を発揮することができる。
【特許文献１】特開２００８−２０５５１号公報
【非特許文献１】「ＬＰ−ＸＣ５５／ＸＣ５０」，プロジェクターカタログ，三洋電機株式会社，２００８年６月，ｐ．１，２
【発明の開示】
【発明が解決しようとする課題】
【０００４】
しかしながら、上記特許文献１に記載されるようにロック軸を挿入するための挿入孔がプロジェクタに設けられている場合や、上記非特許文献１に記載されるようにセキュリティバーを備える場合には、プロジェクタを係留しない場合であっても、挿入孔やセキュリティバーがプロジェクタの外観に現れる。その結果、プロジェクタの見栄えが悪いという問題があった。
【０００５】
本発明は、こうした実情に鑑みてなされたものであり、その目的は、見栄えを向上させることができる投写型映像表示装置を提供することにある。
【課題を解決するための手段】
【０００６】
請求項１に記載の発明は、映像を投写して表示するための部品を収容する筐体を備え、盗難防止用のワイヤにより係留される投写型映像表示装置において、ワイヤが挿通されるワイヤ挿通部材を備え、ワイヤ挿通部材が、筐体の内部に向けて摺動可能であることを特徴とする。
【０００７】
同構成によれば、盗難防止用のワイヤが挿通されるワイヤ挿通部材が、筐体の内部に向けて摺動可能であるため、盗難防止用のワイヤを使用しない場合（即ち、投写型映像表示装置を係留しない場合）には、筐体の内部に向けてワイヤ挿通部材を摺動させることにより、ワイヤ挿通部材の隠蔽を図ることができる。従って、投写型映像表示装置を係留しない場合には、ワイヤ挿通部材を目立たないようにすることができ、投写型映像表示装置の見映えを向上させることができる。
【０００８】
請求項２に記載の発明は、請求項１に記載の投写型映像表示装置であって、映像を投写して表示するために筐体の前方から筐体の外部へ向けて光を出射する投写レンズを備え、ワイヤ挿通部材が、筐体の後方に設けられていることを特徴とする。
【０００９】
同構成によれば、筐体の前方から筐体の外部へ向けて光を出射する投写レンズを備えており、ワイヤ挿通部材は、筐体の後方に設けられている。このため、筐体の前方や側方にワイヤ挿通部材が設けられている場合に比し、ワイヤ挿通部材を目立たないようにすることができる。
【００１０】
請求項３に記載の発明は、請求項１または請求項２に記載の投写型映像表示装置であって、ワイヤ挿通部材が筐体の内部に向けて摺動されることによって、ワイヤ挿通部材が筐体に収容されるとともに、ワイヤ挿通部材が筐体に収容された状態において、ワイヤ挿通部材の表面と筐体の表面とが同じ平面に位置することを特徴とする。
【００１１】
同構成によれば、ワイヤ挿通部材が筐体の内部に向けて摺動されることによってワイヤ挿通部材が筐体に収容された状態においては、ワイヤ挿通部材の表面と筐体の表面とが同じ平面に位置する。このため、ワイヤ挿通部材が筐体に収容された状態においては、ワイヤ挿通部材が筐体の外部へ突出しないようにすることができる。従って、ワイヤ挿通部材が筐体に収容された状態において、ワイヤ挿通部材の一部が筐体の外部へ突出している場合に比し、ワイヤ挿通部材を目立たないようにすることができる。
【００１２】
請求項４に記載の発明は、請求項１乃至請求項３のいずれか一項に記載の投写型映像表示装置であって、ワイヤ挿通部材は、筐体の外部に向けて摺動可能であって、ワイヤ挿通部材には、ワイヤ挿通部材が摺動する方向に対して垂直な方向に向けて突出する突出部が形成されていることを特徴とする。
【００１３】
同構成によれば、ワイヤ挿通部材には、ワイヤ挿通部材が摺動する方向に対して垂直な方向に向けて突出する突出部が形成されているため、例えば指先を突出部と係合させて突出部を筐体の外部に向けて引っ張ることにより、ワイヤ挿通部材を容易に摺動させることができる。
【００１４】
請求項５に記載の発明は、請求項１乃至請求項４のいずれか一項に記載の投写型映像表示装置であって、ワイヤ挿通部材には、ワイヤを水平方向に挿通可能な挿通孔が形成されていることを特徴とする。
【００１５】
同構成によれば、挿通孔に対して水平方向にワイヤを挿通させることができる。このため、挿通孔に対して鉛直方向にワイヤを挿通させる場合に比し、ワイヤが、投写型映像表示装置が設置される設置面に干渉しないようにすることができる。従って、挿通孔にワイヤを挿通させることを容易に行うことができる。
【００１６】
請求項６に記載の発明は、請求項１乃至請求項５のいずれか一項に記載の投写型映像表示装置であって、ワイヤ挿通部材は中実の樹脂により形成されていることを特徴とする。
同構成によれば、ワイヤ挿通部材は中実の樹脂により形成されているため、ワイヤ挿通部材が中空の樹脂により形成されている場合に比し、ワイヤ挿通部材の強度を高めることができる。
【００１７】
請求項７に記載の発明は、請求項１乃至請求項６のいずれか一項に記載の投写型映像表示装置であって、ワイヤ挿通部材は、筐体の外部に向けて摺動可能であって、ワイヤ挿通部材を保持するための保持部材を備え、ワイヤ挿通部材には、保持部材と係合して、筐体の外部へのワイヤ挿通部材の移動を規制するためのフランジ部が形成されていることを特徴とする。
【００１８】
同構成によれば、ワイヤ挿通部材には、ワイヤ挿通部材を保持するための保持部材と係合して、筐体の外部へのワイヤ挿通部材の移動を規制するためのフランジ部が形成されている。このため、筐体の外部に向けて摺動可能なワイヤ挿通部材が、筐体から抜けて取れることを防止することができる。
【００１９】
請求項８に記載の発明は、請求項７に記載の投写型映像表示装置であって、筐体の内部または外部へ向けて気体を送風するファンを備え、保持部材は、ファンが固定されるファン固定部材と一体であることを特徴とする。
【００２０】
同構成によれば、保持部材は、排気ファンまたは吸気ファンが固定されるファン固定部材と一体であるため、保持部材とファン固定部材とが別個の部材である場合に比し、部品点数を減らすことができ、コストの低減化を図ることができる。
【発明の効果】
【００２１】
本発明によれば、投写型映像表示装置を係留しない場合には、ワイヤ挿通部材を目立たせなくすることにより、投写型映像表示装置の見映えを向上することができる。
【発明を実施するための最良の形態】
【００２２】
以下、本発明の投写型映像表示装置を、液晶プロジェクタとして具体化した、一実施形態について図面を参照しながら説明する。液晶プロジェクタは、光を透過させて映像を生成するためのライトバルブとして液晶パネルを用いるプロジェクタである。
【００２３】
図１に示すように、液晶プロジェクタ１は、映像Ｖを投写して表示するための部品、例えば、光源、液晶パネル等の光学部品（不図示）や、電子機器である液晶プロジェクタ１を制御するための電子部品（不図示）を収容する樹脂製の筐体２を備えている。なお、図面において、矢印Ｆ、矢印Ｒ、矢印Ｓは、それぞれ、筐体２の前方、筐体２の後方、筐体２の側方を示しており、矢印Ｕ、矢印Ｄは、それぞれ、上下方向（即ち、鉛直方向）における、上方、下方を示している。
【００２４】
また、液晶プロジェクタ１は、映像を投写して表示するために筐体２の前方Ｆから筐体２の外部へ向けて光を出射する投写レンズ（不図示）を備えたフロントプロジェクタであって、筐体２の前方Ｆに投写レンズが設けられている。また、筐体２の後方Ｒには、筐体２に収容されるとともに筐体２の外部へ向けて気体を送風する排気ファン（不図示）が設けられている。
【００２５】
図１及び図２に示すように、略直方体の筐体２は、後方Ｒに設けられた背面２１と、側方Ｓに設けられた側面２２と、上方Ｕに設けられた上面２３と、下方Ｄに設けられた下面２４とを備えており、背面２１には、排気ファンにより送風される気体が通過する通気孔２１ａが設けられている。また、下面２４の反対側の面は、筐体２の内部の底をなす底面２５となっている。なお、図２は、液晶プロジェクタ１の概略構成を示す断面図である。
【００２６】
また、液晶プロジェクタ１は、盗難防止用のワイヤ（例えば、直径が約１４ｍｍのワイヤ）が挿通されるワイヤ挿通部材３と、ワイヤ挿通部材３を取り付けるために、ワイヤ挿通部材３を保持するための保持部材４とを備えている。
【００２７】
ワイヤ挿通部材３は、筐体２の後方Ｒに設けられており、ワイヤ挿通部材３が筐体２の外部へ突出できるように、筐体２の背面２１の下方Ｄには切欠２６が設けられている。この切欠２６内に配設されたワイヤ挿通部材３は、筐体２の前後方向において摺動自在に構成されている。
【００２８】
図２乃至図５に示すように、略直方体のワイヤ挿通部材３には、盗難防止用のワイヤが挿通可能な挿通孔３１が形成されており、本実施形態においては、ワイヤ挿通部材３を水平方向に貫通させて挿通孔３１が設けられている。従って、挿通孔３１が筐体２の外部に露出している状態において、挿通孔３１に対してワイヤを水平方向に挿通することが可能である。
【００２９】
図２及び図３（ａ）に示す状態において、ワイヤ挿通部材３が、筐体２の内部に向けて（即ち、図中の矢印Ｄ１が示す方向に向けて）摺動されることによって、図５及び図６に示すように、挿通孔３１が筐体２に収納されて、ワイヤ挿通部材３が筐体２に収容される。即ち、ワイヤ挿通部材３が筐体２の内部に向けて摺動されることにより、ワイヤ挿通部材３に形成された挿通孔３１が隠蔽される。このようにしてワイヤ挿通部材３が筐体２に収容された状態においては、ワイヤ挿通部材３の表面と筐体２の表面とが同じ平面に位置するように構成されている。
【００３０】
また、図５及び図３（ｂ）に示す状態において、ワイヤ挿通部材３が、筐体２の外部に向けて（即ち、図中の矢印Ｄ２が示す方向に向けて）摺動されることによって、図１及び図２に示すように、挿通孔３１が筐体２の外部に露出される。このようにしてワイヤ挿通部材３に形成された挿通孔３１を露出させることにより、液晶プロジェクタ１を係留する場合には、液晶プロジェクタ１が備える挿通孔３１に盗難防止用のワイヤを挿通させることができ、液晶プロジェクタ１を係留することができる。
【００３１】
また、ワイヤ挿通部材３には、ワイヤ挿通部材３が摺動する方向（即ち、前後方向）に対して垂直な方向に向けて突出する突出部３２と、筐体２の外部へのワイヤ挿通部材３の移動を規制するために保持部材４と係合するフランジ部３３とが形成されている。
【００３２】
突出部３２は、ワイヤ挿通部材３の筐体外部側に設けられており、前後方向に対して垂直な方向である下方Ｄに向けて突出している。突出部３２は、ワイヤ挿通部材３が筐体２に収容された状態においても筐体２に収容されず、筐体２の外部に露出している。
【００３３】
フランジ部３３は、ワイヤ挿通部材３の筐体内部側に設けられており、前後方向に対して垂直な方向である上方Ｕ及び側方Ｓに向けて突出している。筐体２の外部に挿通孔３１の全てが露出されると、保持部材４とフランジ部３３とが係合して、筐体２の外部に向けてのワイヤ挿通部材３の摺動が規制される。
【００３４】
以上のように挿通孔３１、突出部３２、及びフランジ部３３が形成されたワイヤ挿通部材３は、樹脂材料を用いて一体成形されており、本実施形態においては、樹脂からなるワイヤ挿通部材３は中空ではなく中実である。
【００３５】
保持部材４は、例えば、鉄、ステンレス、アルミニウム等からなる金属板であって、ワイヤ挿通部材３の上方Ｕ及び上下方向に垂直な方向（即ち、水平方向）を覆うように形成されている。この保持部材４が有する平面と、ワイヤ挿通部材３を支持する支持台２７とによりワイヤ挿通部材３が保持されて、ワイヤ挿通部材３の上下方向及び水平方向の移動が規制されている。なお、支持台２７は、筐体２の底面２５に一体成形されており、支持台２７により、ワイヤ挿通部材３が上下方向における所定の位置に配設されている。
【００３６】
ワイヤ挿通部材３を前後方向に摺動可能に保持する保持部材４は、雄ねじ５を用いて筐体２に対して固定されている。具体的には、筐体２の底面２５に一体成形されたねじ取付部２８に、保持部材４を挿通する雄ねじ５が螺合されることにより、ワイヤ挿通部材３を覆う保持部材４が筐体２に対して固定されている。
【００３７】
本実施形態の盗難防止用のワイヤにより係留される液晶プロジェクタ１によれば、以下の効果を奏することができる。
（１）液晶プロジェクタ１は、ワイヤが挿通されるワイヤ挿通部材３を備え、ワイヤ挿通部材３が、筐体２の内部に向けて摺動可能である。このため、盗難防止用のワイヤを使用しない場合（即ち、液晶プロジェクタ１を係留しない場合）には、筐体２の内部に向けてワイヤ挿通部材３を摺動させることにより、ワイヤ挿通部材３の隠蔽を図ることができる。従って、液晶プロジェクタ１を係留しない場合には、ワイヤ挿通部材３を目立たないようにすることができ、液晶プロジェクタ１の見映えを向上させることができる。
【００３８】
（２）液晶プロジェクタ１は、映像Ｖを投写して表示するために筐体２の前方Ｆから筐体２の外部へ向けて光を出射する投写レンズを備え、ワイヤ挿通部材３が、筐体２の後方Ｒに設けられている。このため、筐体２の前方Ｆや側方Ｓにワイヤ挿通部材３が設けられている場合に比し、液晶プロジェクタ１を正面から見た場合（即ち、筐体２の後方Ｒを奥とするように筐体２の前方Ｆを手前にして液晶プロジェクタ１を見た場合）、ワイヤ挿通部材３を目立たないようにすることができる。
【００３９】
（３）ワイヤ挿通部材３が筐体２の内部に向けて摺動されることによって、ワイヤ挿通部材３が筐体２に収容されるとともに、ワイヤ挿通部材３が筐体２に収容された状態において、ワイヤ挿通部材３の表面が筐体２の背面２１と同じ平面に位置する。即ち、ワイヤ挿通部材３が筐体２に収容された状態において、ワイヤ挿通部材３の表面と筐体２の表面とが同じ平面に位置する。このため、ワイヤ挿通部材３が筐体２に収容された状態においては、ワイヤ挿通部材３が筐体２の外部へ突出しないようにすることができる。従って、ワイヤ挿通部材３が筐体２に収容された状態において、ワイヤ挿通部材３の一部が筐体２の外部へ突出している場合に比し、ワイヤ挿通部材３を目立たないようにすることができる。
【００４０】
（４）ワイヤ挿通部材３は、筐体２の外部に向けて摺動可能であって、ワイヤ挿通部材３には、ワイヤ挿通部材３が摺動する方向に対して垂直な方向である下方に向けて突出する突出部３２が形成されている。このため、例えば指先を突出部３２と係合させて突出部３２を筐体２の外部に向けて引っ張ることにより、ワイヤ挿通部材３を容易に摺動させることができる。
【００４１】
（５）ワイヤ挿通部材３には、ワイヤを水平方向に挿通可能な挿通孔３１が形成されており、挿通孔３１に対して水平方向にワイヤを挿通させることができる。このため、挿通孔３１に対して鉛直方向（即ち、上下方向）にワイヤを挿通させる場合に比し、ワイヤが、液晶プロジェクタ１が設置される設置面（例えば、テーブルや棚の上面）に干渉しないようにすることができる。従って、挿通孔３１にワイヤを挿通させることを容易に行うことができる。
【００４２】
（６）ワイヤ挿通部材３は中実の樹脂により形成されている。このため、ワイヤ挿通部材３が中空の樹脂により形成されている場合に比し、ワイヤ挿通部材３の強度を高めることができる。
【００４３】
（７）ワイヤ挿通部材３は、筐体２の外部に向けて摺動可能であって、液晶プロジェクタ１は、ワイヤ挿通部材３を保持するための保持部材４を備え、ワイヤ挿通部材３には、保持部材４と係合して、筐体２の外部へのワイヤ挿通部材３の移動を規制するためのフランジ部３３が形成されている。このため、筐体２の外部に向けて摺動可能なワイヤ挿通部材３が、液晶プロジェクタ１から抜けて取れることを防止することができる。
【００４４】
また、本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００４５】
・ワイヤ挿通部材３等の形状及び材料を適宜変更してもよく、挿通孔３１の形状、突出部３２の形状、フランジ部３３の形状等を適宜変更してもよい。また、ワイヤ挿通部材３と同様に、保持部材４の形状及び材料を適宜変更してもよい。
【００４６】
・上記実施形態においては、筐体２の後方Ｒに設けられたファンは排気ファンであったが、筐体の後方Ｒに、筐体２の内部へ向けて気体を送風する吸気ファンが設けられる構成であってもよい。
【００４７】
・図７に示すように、ワイヤ挿通部材３を保持するための保持部材が、排気ファンまたは吸気ファンが固定されるファン固定部材６と一体であってもよい。ファン固定部材６は、例えば、鉄、ステンレス、アルミニウム等からなる金属板であって、ワイヤ挿通部材３の上下方向及び水平方向の移動を規制することができる切欠６１を有している。この切欠６１内にワイヤ挿通部材３を配設するとともに、雄ねじ５を用いてファン固定部材６を筐体２に対して固定することにより、ワイヤ挿通部材３が前後方向において摺動可能に構成される。なお、図７は、ワイヤ挿通部材３を保持するファン固定部材６を説明するための斜視図であって、図７において、ファン固定部材６が固定される筐体２等の図示は省略されている。
【００４８】
このように構成すれば、保持部材は、排気ファンまたは吸気ファンが固定されるファン固定部材６と一体であるため、保持部材とファン固定部材とが別個の部材である場合に比し、部品点数を減らすことができ、コストの低減化を図ることができる。
【００４９】
・上記実施形態においては、ワイヤ挿通部材３は、筐体２の後方Ｒに設けられていたが、ワイヤ挿通部材３が設けられる箇所を適宜変更してもよく、例えば、筐体２の側方Ｓや、筐体２の前方Ｆに設けることもできる。
【００５０】
・上記実施形態においては、本発明を液晶プロジェクタ１に適用した場合について説明したが、ＤＭＤ（Digital Micromirror Device）を用いるプロジェクタ等、その他の投写型映像表示装置についても本発明を適用することができる。その場合にも上記実施形態に準じた効果を奏することができる。
【図面の簡単な説明】
【００５１】
【図１】本発明の実施形態に係る投写型映像表示装置である液晶プロジェクタの外観を示す斜視図。
【図２】同実施形態に係る液晶プロジェクタの概略構成を示す断面図。
【図３】（ａ）（ｂ）同実施形態に係るワイヤ挿通部材の周辺の概略構成を示す斜視図。
【図４】同実施形態に係るワイヤ挿通部材の周辺の概略構成を説明するための分解斜視図。
【図５】同実施形態に係る液晶プロジェクタの概略構成を示す断面図。
【図６】同実施形態に係る液晶プロジェクタの外観を示す斜視図。
【図７】本発明の変形例に係るワイヤ挿通部材の周辺の概略構成を示す斜視図。
【符号の説明】
【００５２】
Ｄ…下方、Ｆ…前方、Ｒ…後方、Ｓ…側方、Ｕ…上方、Ｖ…映像、１…液晶プロジェクタ（投写型映像表示装置）、２…筐体、３…ワイヤ挿通部材、４…保持部材、５…雄ねじ、６…ファン固定部材、２１…背面、２１ａ…通気孔、２２…側面、２３…上面、２４…下面、２５…底面、２６…切欠、２７…支持台、２８…ねじ取付部、３１…挿通孔、３２…突出部、３３…フランジ部、６１…切欠。
【図１】
2010134174.tif 000003
【図２】
2010134174.tif 000004
【図３】
2010134174.tif 000005
【図４】
2010134174.tif 000006
【図５】
2010134174.tif 000007
【図６】
2010134174.tif 000008
【図７】
2010134174.tif 000009